(57)【要約】【課題】複数の医療施設などで医療情報を共有することが可能な情報処理システム及び情報処理システムの制御方法を提供する。【解決手段】情報処理システムを、医療施設の端末がアクセス可能な情報記憶装置から抽出された、医療施設情報と患者の識別情報とが紐付けられた同意者情報を記憶する同意者情報記憶部と、医療施設から医療関連サービスを依頼された医療関連サービス提供施設の端末がアクセス可能な医療情報記憶部であって、医療施設情報と患者の識別情報と依頼された医療関連サービスの情報とが紐付けられた医療情報を記憶する医療情報記憶部と、同意者情報記憶部に記憶した同意者情報から、医療情報記憶部に記憶した医療施設情報を有する同意者情報を抽出する同意者情報抽出部と、医療情報のうち、抽出した同意者情報の患者の識別情報を有する医療情報を特定する同意者情報特定部と、特定した医療情報を情報記憶装置に送信する医療情報送信部とを備える構成とする。【選択図】図２
2020038715.tif 000002
【特許請求の範囲】
【請求項１】
医療施設の端末がアクセス可能な情報記憶装置から抽出された、医療施設情報と患者の識別情報と医療関連サービスの実施内容を示す項目のうち前記患者が同意する項目および同意しない項目とが紐付けられた同意者情報を記憶する同意者情報記憶部と、
前記医療施設から前記医療関連サービスを依頼された医療関連サービス提供施設の端末がアクセス可能な医療情報記憶部であって、医療施設情報と患者の識別情報と前記依頼された医療関連サービスの情報とが紐付けられた医療情報を記憶する医療情報記憶部と、
前記同意者情報記憶部に記憶した同意者情報から、前記医療情報記憶部に記憶した医療施設情報を有する同意者情報を抽出する同意者情報抽出部と、
前記医療情報のうち、前記抽出した同意者情報の患者の識別情報を有する医療情報を特定する同意者情報特定部と、
前記特定した医療情報から、前記抽出した同意者情報に含まれる前記患者が同意しない項目を削除する非同意項目削除部と、
前記非同意項目削除部によって前記特定した医療情報から前記患者が同意しない項目が削除された医療情報を前記情報記憶装置に送信する医療情報送信部と、
を備えることを特徴とする情報提供システム。
【請求項２】
前記医療情報のうち、前記特定した医療情報以外の医療情報を削除する医療情報削除部をさらに備えることを特徴とする請求項１に記載の情報提供システム。
【請求項３】
前記情報提供システムは、前記特定した医療情報のフォーマットを変換するフォーマット変換部をさらに備え、
前記医療情報送信部は、前記フォーマットを変換した医療情報を送信する
ことを特徴とする請求項１又は請求項２に記載の情報提供システム。
【請求項４】
前記情報提供システムは、前記特定した医療情報のマスターを変換するマスター変換部をさらに備え、
前記医療情報送信部は、前記マスターを変換した医療情報を送信する
ことを特徴とする請求項１から請求項３のいずれか１項に記載の情報提供システム。
【請求項５】
前記医療情報は、カルテ情報、レセプト情報、医学情報、予防健康情報、福祉情報、バイオバンクの生物試料に関連する情報のいずれかを含むことを特徴とする請求項１から請求項４のいずれか１項に記載の情報提供システム。
【請求項６】
前記医療情報がカルテ情報であり、前記カルテ情報は、臨床検査結果、医師の所見、治療の経過や結果、看護記録、処方箋、通院履歴のいずれかを含むことを特徴とする請求項５に記載の情報提供システム。
【請求項７】
医療施設の端末がアクセス可能な情報記憶装置から抽出された、医療施設情報と患者の識別情報と医療関連サービスの実施内容を示す項目のうち前記患者が同意する項目および同意しない項目とが紐付けられた同意者情報を同意者情報記憶部に記憶し、
前記医療施設から前記医療関連サービスを依頼された医療関連サービス提供施設の端末がアクセス可能な医療情報記憶部に、医療施設情報と患者の識別情報と前記依頼された医療関連サービスの情報とが紐付けられた医療情報を記憶し、
前記同意者情報記憶部に記憶した同意者情報から、前記医療情報記憶部に記憶した医療施設情報を有する同意者情報を抽出し、
前記医療情報のうち、前記抽出した同意者情報に対応する患者の識別情報を有する医療情報を特定し、
前記特定した医療情報から、前記抽出した同意者情報に含まれる前記患者が同意しない
項目を削除し、
前記特定した医療情報から前記患者が同意しない項目が削除された医療情報を前記情報記憶装置に送信する
ことを特徴とする情報提供システムの制御方法。
【請求項８】
前記医療情報のうち、前記特定した医療情報以外の医療情報を削除することを特徴とする請求項７に記載の情報提供システムの制御方法。
【請求項９】
前記特定した医療情報のフォーマットを変換し、
前記フォーマットを変換した医療情報を送信する
ことを特徴とする請求項７又は請求項８に記載の情報提供システムの制御方法。
【請求項１０】
前記特定した医療情報のマスターを変換し、
前記マスターを変換した医療情報を送信する
ことを特徴とする請求項７から請求項９のいずれか１項に記載の情報提供システムの制御方法。
【請求項１１】
前記医療情報は、カルテ情報、レセプト情報、医学情報、予防健康情報、福祉情報、バイオバンクの生物試料に関連する情報のいずれかを含むことを特徴とする請求項７から請求項１０のいずれか１項に記載の情報提供システムの制御方法。
【請求項１２】
前記医療情報がカルテ情報であり、前記カルテ情報は、臨床検査結果、医師の所見、治療の経過や結果、看護記録、処方箋、通院履歴のいずれかを含むことを特徴とする請求項１１に記載の情報提供システムの制御方法。
【請求項１３】
医療施設の端末がアクセス可能な情報記憶装置から抽出された、医療施設情報と少なくとも患者又は医療情報提供者を含む個人の識別情報と医療関連サービスの実施内容を示す項目のうち前記個人が同意する項目および同意しない項目とが紐付けられた同意者情報を記憶する同意者情報記憶部と、
前記医療施設から前記医療関連サービスを依頼された医療関連サービス提供施設の端末がアクセス可能な医療情報記憶部であって、医療施設情報と前記個人の識別情報と前記依頼された医療関連サービスの情報とが紐付けられた医療情報を記憶する医療情報記憶部と、
前記同意者情報記憶部に記憶した同意者情報から、前記医療情報記憶部に記憶した医療施設情報を有する同意者情報を抽出する同意者情報抽出部と、
前記医療情報のうち、前記抽出した同意者情報の前記個人の識別情報を有する医療情報を特定する同意者情報特定部と、
前記特定した医療情報から、前記抽出した同意者情報に含まれる前記個人が同意しない項目を削除する非同意項目削除部と、
前記非同意項目削除部によって前記特定した医療情報から前記個人が同意しない項目が削除された医療情報を前記情報記憶装置に送信する医療情報送信部と、
を備えることを特徴とする情報提供システム。
【請求項１４】
医療施設の端末がアクセス可能な情報記憶装置から抽出された、医療施設情報と少なくとも患者又は医療情報提供者を含む個人の識別情報と医療関連サービスの実施内容を示す項目のうち前記個人が同意する項目および同意しない項目とが紐付けられた同意者情報を同意者情報記憶部に記憶し、
前記医療施設から前記医療関連サービスを依頼された医療関連サービス提供施設の端末がアクセス可能な医療情報記憶部に、医療施設情報と前記個人の識別情報と前記依頼された医療関連サービスの情報とが紐付けられた医療情報を記憶し、
前記同意者情報記憶部に記憶した同意者情報から、前記医療情報記憶部に記憶した医療施設情報を有する同意者情報を抽出し、
前記医療情報のうち、前記抽出した同意者情報に対応する前記個人の識別情報を有する医療情報を特定し、
前記特定した医療情報から、前記抽出した同意者情報に含まれる前記個人が同意しない項目を削除し、
前記特定した医療情報から前記個人が同意しない項目が削除された医療情報を前記情報記憶装置に送信する
ことを特徴とする情報提供システムの制御方法。
【発明の詳細な説明】
【技術分野】
【０００１】
本発明は、医療情報の情報提供システム及び情報提供システムの制御方法に関する。
【背景技術】
【０００２】
日々技術的進化を遂げている質の良い医療サービスには、多くの人びとがそのサービスを享受できる仕組みが必要である。一方で医療費を含む社会保障費の増加を背景として、不必要な出費を抑える医療費抑制の動きが出てきており、品質だけでなく効率的に医療サービスを提供することの重要性が求められてきている。
【０００３】
そして、医療費抑制の施策としては、例えば、地域医療連携という考えに基づいて、特定の医療圏内における各種医療施設の連携による医療サービス及び医療関連サービスの提供が試みられている。
【０００４】
地域医療連携とは、特定の医療圏に属する医療施設がそれぞれの機能や規模といった特色について、地域医療の状況に応じて機能分担や専門化を進め、患者が継続性のある適切な医療サービスを受けられるようにするものである。
【０００５】
地域医療連携では、医療施設どうしだけでなく、医療施設と他の医療関連サービス提供施設、例えば臨床検査施設や調剤薬局などとの連携においても効果が期待される。医療関連サービスが臨床検査である場合を例に取ると、現在、臨床検査は、そのほとんどが地域内の中核病院や大規模な臨床検査施設において実施されている。患者が受診した診療所から依頼を受けて中核病院で臨床検査が実施される場合、あるいは、診療所や中核病院から依頼を受けて臨床検査施設で臨床検査が実施される場合など、実施の形態は様々である。
【０００６】
異なる医療施設どうしが連携して医療情報を共有することで、複数の医療施設を利用する患者についての医療情報、例えば臨床検査結果や投薬履歴などをそれぞれの医療施設で共有することができるため、効率的に医療サービスを提供することが可能となる。
【０００７】
医療情報の管理は地域医療連携を達成するためのツールの１つとして検討されているが、これには、ＩＴ（Information Technology）の持つ情報統合力を利用した各地域医療圏における医療情報を共有する共通情報基盤が求められる。
【０００８】
ネットワークを介した医療情報の送受信に関しては、医療施設と端末とをネットワークで接続し、医療行為に関連する情報を医療施設内の管理システムからネットワークを介して端末に送信すること（特許文献１）や、複数の医療施設の医療情報システムにおける医療情報を、ネットワークを介して一元管理する医療情報管理システム（特許文献２）や、個人情報保護手段を備えた医療情報管理システム（特許文献３）が提案されている。
【先行技術文献】
【特許文献】
【０００９】
【特許文献１】特開２００４−１１０８１８号公報
【特許文献２】特開２００５−１６５４４２号公報
【特許文献３】特開２００２−３４２４９２号公報
【発明の概要】
【発明が解決しようとする課題】
【００１０】
しかし、特許文献１に掲載された検査システムなどは、患者が主とする臨床検査施設以
外の委託臨床検査施設において臨床検査を受けた場合に、臨床検査結果が主臨床検査施設以外の委託臨床検査施設の臨床検査用端末から主臨床検査施設の臨床検査用端末に転送される。さらに、臨床検査結果は、医療施設の医師用端末に通知され、電子カルテシステムに転送される。すなわち、患者の臨床検査が複数の臨床検査施設によって行われる場合を考慮したものではない。
【００１１】
また、特許文献２では、ネットワークを介して医療情報を一元管理し、個人情報保護手段を備える医療情報管理システムについて開示されている。しかし、この方法では、データベースへのアクセス権限を医療情報を登録した医療施設に制限する形を取っており、データベースには不同意患者の医療情報までもが含まれる可能性がある。そして、新たに地域医療連携に参加した施設にはアクセス権限がないことになり、多数の医療施設間で医療情報を共有するという目的を達成しえない。
【００１２】
さらに、特許文献３には、複数の医療施設の医療情報システムにおける医療情報を、ネットワークを介して一元管理する医療情報管理システムについて記載されている。当該医療情報管理システムでは、複数の医療施設がそれぞれ独自に保有している患者情報が統合・管理され、データベースへのアクセス制限が行われ、個人認証に基づいて医療情報が提供される。しかし、このような医療情報管理システムでは、個人情報と医療情報とが切り分けられていない点、個人情報の開示に不同意の患者の情報を破棄していない点などから、個人情報漏洩のリスクが捨てきれない。また、医療施設が医療情報管理システムに対して情報を直接登録するため、複数の臨床検査施設において実施された臨床検査結果を一元管理することは想定されていない。したがって、このような医療情報管理システムでも、共有される医療情報量が不十分であると言わざるを得ず、利便性の高いサービスの提供は望めない。
【００１３】
本件開示の技術は、上記の事情に鑑みてなされたものであり、その目的とするところは、医療関連サービスを提供する複数の医療施設が作成した医療情報を、個人情報を保護しつつ、多様なフォーマットで複数の医療施設に提供することができるシステムを実現することである。
【課題を解決するための手段】
【００１４】
一実施形態による情報提供システムは、医療施設の端末がアクセス可能な情報記憶装置から抽出された、医療施設情報と患者の識別情報とが紐付けられた同意者情報を記憶する同意者情報記憶部と、医療施設から医療関連サービスを依頼された医療関連サービス提供施設の端末がアクセス可能な医療情報記憶部であって、医療施設情報と患者の識別情報と依頼された医療関連サービスの情報とが紐付けられた医療情報を記憶する医療情報記憶部と、同意者情報記憶部に記憶した同意者情報から、医療情報記憶部に記憶した医療施設情報を有する同意者情報を抽出する同意者情報抽出部と、医療情報のうち、抽出した同意者情報の患者の識別情報を有する医療情報を特定する同意者情報特定部と、特定した医療情報を情報記憶装置に送信する医療情報送信部とを備える。これにより、医療関連サービス提供施設が提供する臨床検査結果などの医療情報を複数の医療施設で共有させることが可能になる。
【００１５】
また、一実施形態による情報提供システムは、同意者情報記憶部に記憶される同意者情報は、患者が同意しない項目が医療施設情報及び患者の識別情報と紐付けられており、特定した医療情報から、抽出した同意者情報に含まれる患者が同意しない項目を削除する非同意項目削除部をさらに備える。さらに、一実施形態による情報提供システムは、医療情報のうち、特定した医療情報以外の医療情報を削除する医療情報削除部をさらに備える。これにより、患者が同意しない項目や非同意者情報を削除することで同意者情報の保守及び管理の信頼性を高めることができる。
【００１６】
そして、一実施形態による情報提供システムは、特定した医療情報のフォーマットを変換するフォーマット変換部をさらに備え、医療情報送信部は、フォーマットを変換した医療情報を送信する。また、一実施形態による情報提供システムは、前記特定した医療情報のマスターを変換するマスター変換部をさらに備え、医療情報送信部は、マスターを変換した医療情報を送信する。これにより、当該情報提供システムを利用する複数の医療施設などがそれぞれ異なるフォーマットやマスターを採用していても、医療施設側がフォーマットやマスターを変更することなく、これら医療施設間で医療情報を共有させることができる。
【００１７】
さらに、医療情報は、カルテ情報、レセプト情報、医学情報、予防健康情報、福祉情報、バイオバンクの生物試料に関連する情報のいずれかを含む。また、医療情報がカルテ情報であり、カルテ情報は、臨床検査結果、医師の所見、治療の経過や結果、看護記録、処方箋、通院履歴のいずれかを含む。これにより、上記情報提供システムにおいて、これらの医療情報を組み合わせるアルゴリズムを設計することで、将来の疾病について予測することが可能なシステムを構築することもできる。
【００１８】
次いで、一実施形態による情報提供システムの制御方法は、医療施設の端末がアクセス可能な情報記憶装置から抽出された、医療施設情報と患者の識別情報とが紐付けられた同意者情報を同意者情報記憶部に記憶し、医療施設から医療関連サービスを依頼された医療関連サービス提供施設の端末がアクセス可能な医療情報記憶部に、医療施設情報と患者の識別情報と依頼された医療関連サービスの情報とが紐付けられた医療情報を記憶し、同意者情報記憶部に記憶した同意者情報から、医療情報記憶部に記憶した医療施設情報を有する同意者情報を抽出し、医療情報のうち、抽出した同意者情報に対応する患者の識別情報を有する医療情報を特定し、特定した医療情報を情報記憶装置に送信する。
【００１９】
また、一実施形態による情報提供システムの制御方法は、同意者情報記憶部に記憶される同意者情報は、患者が同意しない項目が医療施設情報及び患者の識別情報と紐付けられており、特定した医療情報から、抽出した同意者情報に含まれる患者が同意しない項目を削除する。さらに、一実施形態による情報提供システムの制御方法は、医療情報のうち、特定した医療情報以外の医療情報を削除する。
【００２０】
そして、一実施形態による情報提供システムの制御方法は、特定した医療情報のフォーマットを変換し、フォーマットを変換した医療情報を送信する。また、一実施形態によるによる情報提供システムの制御方法は、特定した医療情報のマスターを変換し、マスターを変換した医療情報を送信する。
【００２１】
さらに、医療情報は、カルテ情報、レセプト情報、医学情報、予防健康情報、福祉情報、バイオバンクの生物試料に関連する情報のいずれかを含む。また、医療情報がカルテ情報であり、カルテ情報は、臨床検査結果、医師の所見、治療の経過や結果、看護記録、処方箋、通院履歴のいずれかを含む。
【００２２】
また、別の実施形態による情報提供システムは、医療施設の端末がアクセス可能な情報記憶装置から抽出された、医療施設情報と少なくとも患者又は医療情報提供者を含む個人の識別情報とが紐付けられた同意者情報を記憶する同意者情報記憶部と、医療施設から医療関連サービスを依頼された医療関連サービス提供施設の端末がアクセス可能な医療情報記憶部であって、医療施設情報と個人の識別情報と依頼された医療関連サービスの情報とが紐付けられた医療情報を記憶する医療情報記憶部と、同意者情報記憶部に記憶した同意者情報から、医療情報記憶部に記憶した医療施設情報を有する同意者情報を抽出する同意者情報抽出部と、医療情報のうち、抽出した同意者情報の個人の識別情報を有する医療情
報を特定する同意者情報特定部と、特定した医療情報を情報記憶装置に送信する医療情報送信部とを備える。
【００２３】
さらに別の実施形態による情報提供システムの制御方法は、医療施設の端末がアクセス可能な情報記憶装置から抽出された、医療施設情報と少なくとも患者又は医療情報提供者を含む個人の識別情報とが紐付けられた同意者情報を同意者情報記憶部に記憶し、医療施設から医療関連サービスを依頼された医療関連サービス提供施設の端末がアクセス可能な医療情報記憶部に、医療施設情報と個人の識別情報と依頼された医療関連サービスの情報とが紐付けられた医療情報を記憶し、同意者情報記憶部に記憶した同意者情報から、医療情報記憶部に記憶した医療施設情報を有する同意者情報を抽出し、医療情報のうち、抽出した同意者情報に対応する個人の識別情報を有する医療情報を特定し、特定した医療情報を情報記憶装置に送信する。
【００２４】
そして、医療サービスを提供する複数の医療施設が作成した医療情報を共有可能にする場合にも、上記の情報提供システムまたは情報提供システムの制御方法を適用することで、個人情報を保護しつつ複数の医療施設間で医療情報を共有することができる。
【発明の効果】
【００２５】
上記の実施形態によれば、医療関連サービスを提供する複数の医療施設が作成した医療情報を、個人情報を保護して複数の医療施設間で共有可能にする情報提供システム及び情報提供システムの制御方法が実現される。
【図面の簡単な説明】
【００２６】
【図１】図１は、一実施形態における情報提供システムを有する地域医療連携の概略の構成を示す図である。
【図２】図２は、一実施形態における情報提供システムの概略のハードウェア構成を示す図である。
【図３】図３は、一実施形態において、地域医療連携サーバーが蓄積する個人情報と同意者情報の内容を表形式で示す図である。
【図４】図４は、一実施形態において、同意者情報ＤＢに格納される同意者情報の項目の一例を示す図である。
【図５】図５は、一実施形態において、臨床検査センター用の臨床検査結果情報ＤＢに格納される臨床検査結果の項目の一例を示す図である。
【図６】図６は、一実施形態において、情報提供システムが実行する処理のフローチャートを示す図である。
【図７】図７は、一実施形態において、情報提供システムが実行する処理のフローチャートを示す図である。
【図８】図８は、一実施形態において、情報提供システムが実行する処理のフローチャートを示す図である。
【図９】図９は、一実施形態において、情報提供システムが実行する処理のフローチャートを示す図である。
【図１０】図１０は、一実施形態において、情報提供システムが実行する処理のフローチャートを示す図である。
【図１１】図１１は、一実施形態において、情報提供システム及び地域医療連携サーバーが実行する処理のフローチャートを示す図である。
【図１２】図１２は、別の実施形態において、情報提供システムが実行する処理のフローチャートを示す図である。
【図１３】図１３は、別の実施形態において、情報提供システムが実行する処理のフローチャートを示す図である。
【図１４】図１４は、別の実施形態における情報提供システムの概略のハードウェア構成を示す図である。
【発明を実施するための形態】
【００２７】
以下、実施形態に係る情報提供システムについて、図面を参照しながら説明する。ただし、本実施形態は情報提供システムの一例を示すものであって、以下に説明する構成に限定されるものではない。また、以下の説明において、サーバー、ネットワーク、システムなどの用語の定義に関しては、現在のコンピュータサイエンスなどの分野で広く一般的に使用されている用語と同じ意味である。
【００２８】
また、医療サービスとは、医師による診断や治療などを実施する行為をいう。医療施設とは、主に医療サービスを提供する施設をいい、診療所や病院などが含まれる。医療関連サービスとは、医療サービス以外の医療に関連するサービスであって、例えば、臨床検査受託、調剤薬局業務、医療機器の販売・保守点検など、医療法施行規則に挙げられるものであればよい。医療関連サービス提供施設とは、医療関連サービスを提供する施設をいい、例えば、臨床検査施設や臨床検査センターなどが含まれる。病院などの医療施設内に、臨床検査施設、例えば、臨床検査センターや共同利用施設などの医療関連サービス提供施設が存在する場合もある。
【００２９】
次に、医療情報とは、カルテ情報やレセプト情報、健診情報などが挙げられる。カルテ情報とは、臨床検査結果、医師の所見、治療の経過や結果、看護記録などが含まれる。さらに、医療情報には、医療施設から提供される、医療施設情報、臨床検査や診断、治療の方法そのものに加えてそのメリットやデメリットが記載された医学情報や、予防接種、感染症の流行状況、食中毒の予防法、といった予防情報や健康情報、退院後の在宅看護や介護情報、経済的あるいは心理的サポートなど、治療以外のアフターケアについての福祉情報が含まれ、医療関連サービス施設から提供される各種情報も含まれる。本実施形態により、複数の医療施設間で、例えば、上記の臨床検査結果、処方箋、カルテ内容や通院歴などの医療情報を簡便にかつ個人情報漏洩のリスク無く共有することが可能となる。
【００３０】
そして、個人情報とは、特定の個人を識別することができる情報であって、例えば、個人情報の保護に関する法律により定義される情報が含まれる。また、複数の情報の組み合わせにより、その個人を特定し得る情報も個人情報に含まれる。例えば、氏名、性別、生年月日、住所、住民票コード、保険証番号、携帯電話の番号、勤務場所、職業、年収、家族構成、写真、指紋、静脈パターン、虹彩、ＤＮＡの塩基配列などの生体情報、コンピュータのＩＰアドレスやリモートホストに関する情報などが挙げられる。指紋、静脈パターン、虹彩、ＤＮＡの塩基配列などの生体情報については、個人情報として扱われる場合があるが、本実施形態においては、これらは医療情報にも含まれる情報とする。
【００３１】
本実施形態において、地域医療連携とは、異なる複数の医療施設を利用する患者について提供される医療サービスや医療関連サービスに伴う医療情報を共有することをさし、例えば、厚生労働省が指定する、一次から三次の各医療圏内の医療施設どうしと医療関連サービス提供施設どうしとが連携し合い、医療サービスや医療関連サービスを提供することなどが含まれる。
【００３２】
また、同意者とは、医療サービスあるいは医療関連サービスを受ける際に、受けるサービスの方針について十分な説明を受けた上で、正しく理解し、納得し、賛成した患者をいう。同意者の同意の内容は、取得する同意の種類によって異なる。例えば、当該サービスを提供する医療施設が属する医療圏における地域医療連携への参加への同意、複数の医療施設における医療情報共有への同意、個人情報が切り離された形での医療情報の二次活用（コホート研究など）への同意が含まれる。同意の種類は、患者によるサービスの利用形態に応じて適宜選択される。例えば、個々の患者は、共有される医療情報の内容について
、全てについて同意することもできるし、一部についてのみ同意することもできる。例えば、患者は、医療情報のうちカルテ情報、投薬履歴、臨床検査結果の特定の項目についてのみ共有に同意するなど、医療サービスあるいは医療関連サービスの提供の形態に応じて、同意の内容を適宜選択することができる。
【００３３】
本実施形態では、同意者情報は、医療施設ごとに割り振られた番号、各医療施設が患者に対して割り振った番号を含み、必要に応じて医療施設が属する一次から三次の医療圏の番号を付加することができる。また、同意した医療情報の内容について番号をつけて付加することもできる。特に、一部の項目についてのみ同意する患者の場合には同意した医療情報の項目についての情報を付加することができる。
【００３４】
以下の説明では、医療情報が臨床検査結果である場合の臨床検査結果の共有について説明する。ただし、これは一例であって、本実施形態の範囲はこれに限定されるものではない。
【００３５】
図１は、本実施形態において、情報提供システム１０を有する地域医療連携の概略の構成を示す図である。図１に示すように、情報提供システム１０は、ＬＡＮ（Local Area Network）やインターネットなどのネットワークＮを経由して病院Ａ１００や病院Ｂ２００のサーバー（図示せず）と接続する。当該サーバーは、各病院で医療サービスを受ける患者に関する個人情報や医療情報などを管理及び処理する。また、情報提供システム１０は、ネットワークＮを経由して地域医療連携サーバー３００、４００とも接続する。さらに、情報提供システム１０は、ネットワーク（図示せず）を経由して臨床検査センターＡ５００、臨床検査センターＢ６００、臨床検査センターＣ７００とそれぞれ接続されている。なお、図１は本実施形態の一例を示すものであり、病院、臨床検査センター、地域医療連携サーバーの数はこれに限れられない。なお、病院Ａ１００、病院Ｂ２００が、医療施設の一例に相当する。また、臨床検査センターＡ５００、臨床検査センターＢ６００、臨床検査センターＣ７００が、医療関連サービス提供施設の一例に相当する。そして、地域医療連携サーバー３００、４００が、医療施設の端末がアクセス可能な情報記憶装置の一例に相当する。なお、病院Ａ１００、病院Ｂ２００、臨床検査センターＡ５００、臨床検査センターＢ６００、臨床検査センターＣ７００内の各端末が以下の処理を行うが、以下の説明においては、病院Ａ１００、病院Ｂ２００、臨床検査センターＡ５００、臨床検査センターＢ６００、臨床検査センターＣ７００に代表させて説明及び図示する。  更に、ウイルスなどに対するセキュリティ対策として中継サーバーを設置してもよい。
【００３６】
図２は、本実施形態における情報提供システム１０のハードウェア構成を示す概略構成図である。図２に示すように、情報提供システム１０は、同意者情報処理サーバー８００及び医療関連サービス情報処理サーバー９００を備える。同意者情報処理サーバー８００は、ＣＰＵ８００ａ、メモリ８００ｂ、ＨＤＤ（Hard Disk Drive）８００ｃ、ＮＩＣ（Network Interface Card）８００ｄを有する。さらに、同意者情報処理サーバー８００は
、同意者情報ＤＢ（Database）８００ｅ、マスターＤＢ８００ｆ、変換ＤＢ８００ｇを備える。なお、同意者情報ＤＢが、同意者情報記憶部の一例に相当する。また、同意者情報処理サーバー８００が、同意者情報抽出部、フォーマット変換部、マスター変換部の一例に相当する。また、医療関連サービス情報処理サーバー９００が、同意者情報特定部、非同意項目削除部、医療情報削除部の一例に相当する。また、情報提供システム１０が、医療情報送信部の一例に相当する。
【００３７】
また、医療関連サービス情報処理サーバー９００は、ＣＰＵ９００ａ、メモリ９００ｂ、ＨＤＤ９００ｃ、ＮＩＣ９００ｄを有する。さらに、医療関連サービス情報処理サーバー９００は、臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇ
を備える。なお臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇが、医療情報記憶部の一例に相当する。
【００３８】
同意者情報処理サーバー８００では、ＣＰＵ８００ａが、ＨＤＤ８００ｃに格納された各種アプリケーションソフトウェアをメモリ８００ｂに展開し、同意者情報ＤＢ８００ｅ、マスターＤＢ８００ｆ、変換ＤＢ８００ｇに格納された各種情報を用いて、同意者情報の更新や同意者情報のフォーマット変換などの種々の処理を実行する。また、同意者情報処理サーバー８００は、ＮＩＣ８００ｄによって医療関連サービス情報処理サーバー９００や臨床検査センターＡ５００、Ｂ６００、Ｃ７００やネットワークＮに対する通信を行う。
【００３９】
また、医療関連サービス情報処理サーバー９００では、ＣＰＵ９００ａが、ＨＤＤ９００ｃに格納された各種アプリケーションソフトウェアをメモリ９００ｂに展開し、臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇに格納された各種情報を用いて、病院などの医療施設コードの抽出や送信、非同意者情報の削除など、種々の処理を実行する。上記の各種処理の詳細については後述する。
【００４０】
本実施形態においては、あらかじめ、病院Ａ１００、病院Ｂ２００において、医師が個々の患者から、地域医療連携のために個人情報や医療情報を他の医療施設と共有することについての同意を得る。また、医師は各患者から情報提供システム１０の利用についての同意も得る。そして、病院Ａ１００、病院Ｂ２００は、同意者の個人情報と医療情報との切り離しを行い、個人情報と医療情報とが紐付けされない状態にする。本実施形態では、病院Ａ１００、病院Ｂ２００は、地域医療連携に参加し、地域医療連携サーバー３００へのアクセス権限を有する。次に、病院Ａ１００、病院Ｂ２００は、切り離された個人情報と、同意者の同意した項目を含む同意者情報とを、病院Ａ１００、病院Ｂ２００内のそれぞれのサーバーからネットワークＮを経由して地域医療連携サーバー３００に送信する。地域医療連携サーバー３００には、病院Ａ１００と病院Ｂ２００が所属する地域医療圏における地域医療連携に同意した患者の同意者情報が蓄積される。
【００４１】
図３に、地域医療連携サーバー３００、４００が蓄積する個人情報と同意者情報の内容を表形式で示す。図３に示すように、これらの情報は、患者基本情報、文書、処置・投薬履歴、病名、検体検査結果、画像検査結果、経過表、地域連携パスに分類されている。患者基本情報は、患者個人を特定するための情報である。文書は、患者が過去に受けた医療サービスの詳細情報である。処置・投薬履歴は、患者が医療サービスにおいて受けた処方薬や担当医などに関する情報である。病名は、患者の疾患に関する情報である。検体検査結果は、患者が受けた検体検査に関する情報である。画像検査結果は、患者がＭＲＩ（Magnetic Resonance Imaging）や内視鏡検査などを受けた際に作成された画像や医師の所見などに関する情報である。経過表は、患者が受けた手術などの経過情報である。地域連携パスは、いわゆる地域連携クリティカルパスであり、患者が、発症した「急性期」から集中的なリハビリなどを行う「回復期」、生活機能維持のためのリハビリをする「維持期」まで、切れ目のない治療を受けるための診療計画表に関する情報である。そして、これらの各分類の下位に、各分類の詳細情報としての１次情報や２次情報が格納されている。これらの詳細情報については、説明を省略する。これらの開示及び共有について同意した患者の同意者情報が蓄積される。
【００４２】
情報提供システム１０の同意者情報処理サーバー８００は、定期的に地域医療連携サーバー３００、４００に接続し、地域医療連携サーバー３００、４００に蓄積された同意者情報の中から、新たに追加された同意者情報を取得して、同意者情報処理サーバー８００
の同意者情報ＤＢ８００ｅに格納されている同意者情報を更新する。なお、同意者情報処理サーバー８００は、同意者情報データの差分を取るなど、周知の技術を用いて、地域医療連携サーバー３００、４００に新たに追加された同意者情報を特定する。あるいは、地域医療連携サーバー３００、４００が、定期的に同意者情報処理サーバー８００に同意者情報を送信する構成としてもよい。
【００４３】
図４に、本実施形態において、図３に示した同意者情報の他に同意者情報ＤＢ８００ｅに格納される同意者情報の項目の一例を示す。したがって、同意者情報ＤＢ８００ｅには、広域ＩＤ、地域医療連携サーバーコード、地域医療連携ＩＤ、医療施設コード、医療施設患者ＩＤ、同意臨床検査項目も含まれる。各同意者情報は、広域ＩＤ、地域医療連携サーバーコード、地域医療連携ＩＤ、医療施設コード、医療施設患者ＩＤ、同意臨床検査項目が一組として互いに紐付けられている。広域ＩＤは、各都道府県内や地域医療圏内において個々の患者を識別可能な識別情報である。広域ＩＤの一例としては、保険者番号などが挙げられる。地域医療連携サーバーコードは、地域医療連携サーバーに割り振られた識別情報である。地域医療連携ＩＤは、地域医療連携サーバー３００、４００が、個々の患者を識別可能に割り振る独自の識別情報である。医療施設コードは、各医療施設、本実施形態においては病院Ａ１００と病院Ｂ２００に割り振られた一意の識別情報である。医療施設患者ＩＤは、本実施形態においては病院Ａ１００や病院Ｂ２００がそれぞれ独自に、医療サービスを受ける患者を識別可能に割り振る識別情報である。同意臨床検査項目は、患者の同意者情報の詳細を示す情報である。本実施形態においては、図３に示す同意者情報のうち、患者が同意した情報が同意臨床検査項目として登録され、患者が同意しない情報は同意臨床検査項目から除外される。
【００４４】
ここで、地域医療連携に参加している医療施設である病院Ａ１００や病院Ｂ２００は、病院Ａ１００や病院Ｂ２００が所属する地域医療圏内の医療関連サービス提供者である臨床検査センターＡ５００、Ｂ６００、Ｃ７００に臨床検査を委託する。そして、当該病院Ａ１００や病院Ｂ２００は、臨床検査センターＡ５００、Ｂ６００、Ｃ７００が実施した臨床検査の結果の報告を受ける。本実施形態では、病院Ａ１００、病院Ｂ２００は、医療サービスを受ける患者に対して、個々の患者を識別可能な識別番号などをそれぞれ割り振る。そこで、病院Ａ１００、病院Ｂ２００は、臨床検査の委託先の臨床検査センターＡ５００、Ｂ６００、Ｃ７００に、患者の識別番号なども送信する。
【００４５】
一方、臨床検査センターＡ５００、Ｂ６００、Ｃ７００は、臨床検査結果を情報提供システム１０内の医療関連サービス情報処理サーバー９００に送信する。このとき、臨床検査センターＡ５００、Ｂ６００、Ｃ７００は、臨床検査対象の患者に関する同意者情報を持ち合わせていない。そこで、臨床検査センターＡ５００、Ｂ６００、Ｃ７００は、一律にすべての臨床検査結果を送信する。本実施形態においては、医療関連サービス情報処理サーバー９００が臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇを備える。臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇは、臨床検査センターＡ５００、Ｂ６００、Ｃ７００にそれぞれ割り当てられた臨床検査結果の格納用のデータベースである。
【００４６】
臨床検査センターＡ５００、Ｂ６００、Ｃ７００は、は全ての臨床検査結果を情報提供システム１０に設置された医療関連サービス情報処理サーバー９００に送信するが、このとき各臨床検査センターは医療関連サービス情報処理サーバー９００内で、臨床検査センターごとに割り当てられた臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇに臨床検査結果を送信する。これにより、各臨床検査センターは他の臨床検
査センターの臨床検査結果を取得し閲覧することができない、臨床検査センターごとのセキュリティが保証された状態となる。したがって、情報提供システム１０により、臨床検査結果の情報漏洩リスク、コンタミリスクを回避することができる。
【００４７】
図５に、本実施形態において、臨床検査センターＡ用臨床検査結果ＤＢ９００ｅに格納される臨床検査結果の項目の一例を示す。図５に示すように、臨床検査結果には、医療施設コード、医療施設患者ＩＤ、臨床検査内容が含まれる。各臨床検査結果は、医療施設コード、医療施設患者ＩＤ、臨床検査内容が一組として互いに紐付けられている。医療施設コード及び医療施設患者ＩＤは、それぞれ図４に示す情報と同じであるため説明を省略する。また、臨床検査内容は、臨床検査センターＡ５００が病院Ａ１００や病院Ｂ２００から委託された臨床検査などの詳細情報や臨床検査結果などに関する情報である。なお、臨床検査センターＢ用臨床検査結果ＤＢ９００ｆ及び臨床検査センターＣ用臨床検査結果情報ＤＢ９００ｇに格納される臨床検査結果の項目も同じであるため、説明は省略する。
【００４８】
次に、地域医療連携サーバー３００、４００に蓄積された同意者情報と、情報提供システム１０の医療関連サービス情報処理サーバー９００の各臨床検査センター用に設けられた臨床検査結果情報ＤＢ、すなわち臨床検査センターＡ用臨床検査結果情報ＤＢ９００ｅ、臨床検査センターＢ用臨床検査結果情報ＤＢ９００ｆ、臨床検査センターＣ用臨床検査結果情報ＤＢ９００ｇに蓄積された臨床検査結果とを照合して、患者が同意者であるか否かを判定する処理について説明する。
【００４９】
図６に、情報提供システム１０における同意者情報の処理のフローチャートを示す。なお、以下の説明では、フローチャートの各ステップをＳと略記する。本実施形態では、臨床検査センターＡ５００、Ｂ６００、Ｃ７００のいずれかが医療関連サービス情報処理サーバー９００にアクセスしてログイン処理が完了すると、図６に示すフローチャートが開始される。ここでは、一例として、病院Ａ１００が臨床検査センターＡ５００に臨床検査を委託し、臨床検査センターＡ５００が当該臨床検査を完了した後、臨床検査センターＡ５００が医療関連サービス情報処理サーバー９００へのログイン処理を行った場合について説明する。以下のフローチャートの説明でも同様とする。
【００５０】
まず、Ｓ１０１では、臨床検査センターＡ５００からの臨床検査結果データが臨床検査センターＡ用臨床検査結果情報ＤＢ９００ｅにアップロードされる。当該臨床検査結果データには、臨床検査センターＡ５００が病院Ａ１００から受信した、医療施設コードのデータも含まれる。すなわち、本実施形態では、医療施設コードは病院Ａ１００を示す識別情報である。臨床検査センターＡ５００が、当該臨床検査結果データのアップロードが完了すると、処理はＳ１０２に進む。Ｓ１０２では、臨床検査センターＡ用臨床検査結果情報ＤＢ９００ｅにアップロードされた臨床検査結果から医療施設コードが抽出される。次いで、処理はＳ１０３に進む。
【００５１】
Ｓ１０３では、臨床検査センターＡ用臨床検査結果情報ＤＢ９００ｅから抽出された医療施設コードに基づく同意者情報ＤＢ８００ｅへの問合せ処理のため、医療施設コードが同意者情報処理サーバー８００に送信される。Ｓ１０４では、同意者情報処理サーバー８００が、受信した医療施設コードを同意者情報ＤＢに格納されている同意者情報と照会する。これにより、同意者情報処理サーバー８００は、医療施設コードに紐付けられている医療施設患者ＩＤが存在するか否かを確認する。
【００５２】
そして、同意者情報処理サーバー８００は、該当する医療施設患者ＩＤが存在する場合（Ｓ１０４：Ｙｅｓ）、Ｓ１０５において、その医療施設患者ＩＤに紐付けられている地域医療連携サーバーコード、地域医療連携ＩＤ、医療施設コード、医療施設患者ＩＤ、同意臨床検査項目を抽出して各臨床検査センター用臨床検査結果情報ＤＢに送信する。一方
、同意者情報処理サーバー８００は、該当する医療施設患者ＩＤが存在しない場合（Ｓ１０４：Ｎｏ）、Ｓ１０６において、同意者情報ＤＢ８００ｅには該当する同意者が存在しない旨を医療関連サービス情報処理サーバー９００に通知する。Ｓ１０５又はＳ１０６の処理が完了すると、図６に示すフローチャートの処理は終了する。なお、臨床検査センターＢ用臨床検査結果ＤＢ９００ｆ及び臨床検査センターＣ用臨床検査結果情報ＤＢ９００ｇに格納される臨床検査結果が使用される場合についても同じであるため、説明は省略する。
【００５３】
次に、臨床検査センターＡ用臨床検査結果情報ＤＢ９００ｅは、上記の処理によって同意者情報処理サーバー８００から受信した同意者情報に基づいて、臨床検査センターＡ５００から受信した臨床検査結果のうち同意者に該当する患者の臨床検査結果と非同意者に該当する患者の臨床検査結果とを選別する。図７に、臨床検査センターＡ用臨床検査結果情報ＤＢ９００ｅにおける、同意者及び非同意者の選別処理に関するフローチャートを示す。本実施形態では、臨床検査センターＡ用臨床検査結果情報ＤＢ９００ｅが、同意者情報処理サーバー８００から上記の同意者情報の抽出結果を受信した、すなわちＳ１０５においてデータを取得したかあるいはＳ１０６において同意者が存在しない旨の通知を受信したときに、本フローチャートが開始される。
【００５４】
本フローチャートの開始後、Ｓ２０１では、臨床検査センターＡ用臨床検査結果情報ＤＢ９００ｅは、同意者情報処理サーバー８００から受信した同意者情報について、Ｓ１０３において同意者情報処理サーバー８００に送信した医療施設コードに紐付けられている医療施設患者ＩＤが存在するか否かを判定する。当該医療施設患者ＩＤが存在する場合（Ｓ２０１：Ｙｅｓ）は、臨床検査センターＡ用臨床検査結果情報ＤＢ９００ｅは、処理をＳ２０２に進める。Ｓ２０２では、臨床検査センターＡ用臨床検査結果情報ＤＢ９００ｅは、臨床検査センターＡ用臨床検査結果情報ＤＢ９００ｅに格納されている臨床検査結果のうち、Ｓ２０１において存在すると判定された医療施設患者ＩＤを有する臨床検査結果を、同意者に該当する臨床検査結果であると決定し、当該臨床検査結果を保持する。ここで、臨床検査センターＡ用臨床検査結果情報ＤＢ９００ｅは、同意者に該当する臨床検査結果のうち、Ｓ１０５において同意者情報処理サーバー８００から受信した同意臨床検査項目に該当する情報を保持する。そして、臨床検査センターＡ用臨床検査結果情報ＤＢ９００ｅは、臨床検査結果のうち同意臨床検査項目に該当しない情報を削除する。
【００５５】
さらに、臨床検査センターＡ用臨床検査結果情報ＤＢ９００ｅは、臨床検査センターＡ用臨床検査結果情報ＤＢ９００ｅに格納されている臨床検査結果のうち、Ｓ２０１において存在すると判定された医療施設患者ＩＤ以外の医療施設患者ＩＤを有する臨床検査結果を、非同意者に該当する臨床検査結果であると決定し、当該臨床検査結果を削除する。
【００５６】
一方、Ｓ２０１において、医療施設コードに紐付けられている医療施設患者ＩＤが存在しない場合（Ｓ２０１：Ｎｏ）は、臨床検査センターＡ用臨床検査結果情報ＤＢ９００ｅは本フローチャートを終了する。また、臨床検査センターＡ用臨床検査結果情報ＤＢ９００ｅは、Ｓ２０２の処理が完了した場合も本フローチャートを終了する。
【００５７】
医療関連サービス情報処理サーバー９００は、図７の処理を行うことにより、病院Ａ１００による委託に基づいて臨床検査センターＡ５００が実施した臨床検査の臨床検査結果について、同意者についての臨床検査結果とそれ以外、すなわち非同意者の臨床検査結果を選別することができる。そして、医療関連サービス情報処理サーバー９００は、上記の処理により選別された同意者の臨床検査結果を地域医療連携サーバー３００に送信する。これにより、地域医療連携サーバー３００は、同意者の臨床検査結果を病院Ａ１００と病院Ｂ２００とで共有させることができる。格納された臨床検査結果は、必要に応じて、以下に記すようなマスターやフォーマットの変換を行ってもよい。マスターのみ、フォーマ
ットのみの変換であってもよいし、マスターとフォーマットそれぞれの変換を行ってもよい。
【００５８】
また、本実施形態では、上記の処理によって地域医療連携サーバー３００に格納された同意者の臨床検査結果を、別の地域医療連携サーバー４００と共有させることもできる。ところで、医療施設や医療関連サービス提供施設などは、医療情報の標準化の一環として、医療関連の用語や医薬品や病名などのコードを分野別に体系化したいわゆるマスターに従って種々の情報を管理している。ただし、マスターは複数存在し、本実施形態では、地域医療連携サーバー３００、４００は、それぞれ異なるマスターを採用しているとする。また、地域医療連携サーバー３００、４００が情報データを医療施設や医療関連サービス提供施設などに提供する際に使用する書式、すなわち電子カルテのフォーマットもそれぞれ異なる。
【００５９】
そこで、本実施形態では、情報提供システム１０によって、地域医療連携サーバー３００、４００が採用するマスターやフォーマットが異なる場合でも臨床検査結果を共有できるようになる。図８〜１０を参照しながら、情報提供システム１０における、臨床検査結果の情報の変換処理について説明する。本実施形態において、同意者情報処理サーバー８００の変換ＤＢ８００ｇに、情報提供システム１０が種々の情報を提供する医療施設や医療関連サービス提供施設などが採用する種々のフォーマットが格納されている。変換ＤＢ８００ｇは、各医療施設や各医療関連サービス提供施設などと採用されているフォーマットとを紐付けて管理する。また、同意者情報処理サーバー８００のマスターＤＢ８００ｆに、情報提供システム１０が種々の情報を提供する医療施設や医療関連サービス提供施設などが採用する種々のマスターが格納されている。マスターＤＢ８００ｆは、各医療施設や各医療関連サービス提供施設などと採用されているマスターとを紐付けて管理する。
【００６０】
図８に、本実施形態において、情報提供システム１０が臨床検査結果のデータの変換に関する設定を行う際のフローチャートを示す。なお、本実施形態において、臨床検査結果を含む医療情報の変換とは、マスターコードや報告形式についての書式の統一をマスター変換、医療施設や医療関連サービス提供施設ごとに使用されているフォーマットから複数の施設においてデータを共有することのできるフォーマットへの変換をフォーマット変換という。
【００６１】
Ｓ３０１では、医療関連サービス情報処理サーバー９００が、臨床検査結果の送付先、ここでは地域医療連携サーバー４００が採用するフォーマットを含む臨床検査結果のデータの編集方法について、変換ＤＢ８００ｇに問い合わせる。Ｓ３０２では、変換ＤＢ８００ｇは、医療関連サービス情報処理サーバー９００からデータ編集方法の問合せを受けると、地域医療連携サーバー４００において採用されているフォーマットなどを確認する。
【００６２】
変換ＤＢ８００ｇは、当該フォーマットなどが存在する、すなわち地域医療連携サーバー４００が要求するデータへの編集方法に対応することが可能であることを確認した場合（Ｓ３０２：Ｙｅｓ）、確認したフォーマットなどの情報を医療関連サービス情報処理サーバー９００に送信する。そして、Ｓ３０３において、医療関連サービス情報処理サーバー９００は、変換ＤＢ８００ｇから受信したフォーマットなどの情報に基づいてデータの編集方法を設定する。
【００６３】
一方、変換ＤＢ８００ｇは、上記フォーマットなどが存在しない、すなわち地域医療連携サーバー４００が要求するデータへの編集方法に対応することができないことを確認した場合（Ｓ３０２：Ｎｏ）、Ｓ３０４において、変換ＤＢ８００ｇは、該当するデータの編集方法が存在しないことを医療関連サービス情報処理サーバー９００に通知する。Ｓ３０３又はＳ３０４の処理が完了すると、本フローチャートは終了する。
【００６４】
次に、図９を参照しながら、情報提供システム１０が、臨床検査結果のデータのマスター変換に関する設定を行う際のフローチャートを示す。本実施形態Ｓ４０１では、医療関連サービス情報処理サーバー９００が、臨床検査結果が準拠するマスターと、臨床検査結果の送付先、ここでは地域医療連携サーバー４００が採用するマスターとの紐付けに関する情報について、マスターＤＢ８００ｆに問い合わせる。すなわち、この紐付け情報を確認することにより、医療関連サービス情報処理サーバー９００は、臨床検査結果の送信元が採用するマスターを臨床検査結果の送信先が採用するマスターに変換することができる。
【００６５】
Ｓ４０２では、マスターＤＢ８００ｆは、医療関連サービス情報処理サーバー９００からマスターの紐付け情報の問合せを受けると、変換対象の臨床検査結果の送信元が採用するマスターと、臨床検査結果の送信先が採用するマスターとの紐付け情報が存在するか否かを確認する。
【００６６】
マスターＤＢ８００ｆは、当該マスターの紐付け情報が存在することを確認した場合（Ｓ４０２：Ｙｅｓ）、確認したマスターの紐付け情報を医療関連サービス情報処理サーバー９００に送信する。そして、Ｓ４０３において、医療関連サービス情報処理サーバー９００は、マスターＤＢ８００ｆから受信したマスターの紐付け情報を臨床検査結果の変換に使用するよう設定する。
【００６７】
一方、マスターＤＢ８００ｆは、上記マスターの紐付け情報が存在しないことを確認した場合（Ｓ４０２：Ｎｏ）、Ｓ４０４において、マスターＤＢ８００ｆは、該当するマスターの紐付け情報が存在しないことを医療関連サービス情報処理サーバー９００に通知する。Ｓ４０３又はＳ４０４の処理が完了すると、本フローチャートは終了する。
【００６８】
なお、上記の図８、９に示す処理は、いずれが先に実行されてもよく、あるいは並列に実行されてもよい。図８、９に示す処理が完了した後、情報提供システム１０は図１０に示すフローチャートの処理を開始する。また、マスター変換、フォーマット変換は同意者情報処理サーバー８００で実行されてもよいし、サーバー９００で実行されてもよい。医療関連サービス情報処理サーバー９００で実行される場合には、同意者情報処理サーバー８００内のマスターＤＢ８００ｆや変換ＤＢ８００ｇに編集方法を問合せ、その結果医療関連サービス情報処理サーバー９００に通知された方法に従って医療関連サービス情報処理サーバー９００において変換が実行される。図１０は、本実施形態において、情報提供システム１０の医療関連サービス情報処理サーバー９００において、臨床検査結果の変換処理をフォーマット変換の後にマスター変換を行う場合を例にフローチャートに示す。
【００６９】
Ｓ５０１では、医療関連サービス情報処理サーバー９００は、図８に示すフローチャートの処理によって設定されたフォーマットなどのデータの編集方法を有効にする。次いで、処理はＳ５０２に進む。Ｓ５０２では、医療関連サービス情報処理サーバー９００は、図９に示すフローチャートの処理によって設定されたマスターの紐付け情報を有効にする。次いで、処理はＳ５０３に進む。Ｓ５０３では、医療関連サービス情報処理サーバー９００は、有効にされたフォーマットなどやマスターの情報に従って、臨床検査結果を変換する。その結果、Ｓ５０４において、医療関連サービス情報処理サーバー９００は変換後の臨床検査結果を得る。これにより、変換後の臨床検査結果は、ここでは地域医療連携サーバー４００が採用するフォーマットなどやマスターに準拠した臨床検査結果となる。したがって、情報提供システム１０により、地域医療連携サーバー４００は、フォーマットやマスターなどが異なる臨床検査結果も病院Ａ１００や病院Ｂ２００に提供することができる。
【００７０】
図１１に、本実施形態において、情報提供システム１０が、地域医療連携サーバー３００、４００に変換した臨床検査結果を送信する際のフローチャートを示す。ここでは、上記の通り地域医療連携サーバー４００用に変換した臨床検査結果を地域医療連携サーバー４００に送信する場合について説明する。本実施形態では、医療関連サービス情報処理サーバー９００が図１０に示すフローチャートの処理によって変換後の臨床検査結果のデータを生成したときに、情報提供システム１０は図１１に示すフローチャートの処理を開始する。
【００７１】
Ｓ６０１では、医療関連サービス情報処理サーバー９００は、同意者情報処理サーバー８００に変換後の臨床検査結果のデータを送信する。これにより、Ｓ６０２において、同意者情報処理サーバー８００は当該変換データを受信する。次いで、同意者情報処理サーバー８００は処理をＳ６０３に進める。Ｓ６０３では、同意者情報処理サーバー８００は、地域医療連携サーバー４００にＳ６０２において受信した変換データを送信する。これにより、Ｓ６０４において、地域医療連携サーバー４００は当該変換データを受信する。
【００７２】
以下、上記の実施形態によって得られる利点について説明する。上記の通り、異なる複数の医療施設において医療情報を共有できるシステムを構築して運営していく際にはいくつかの大きな課題が存在する。
【００７３】
まず、個人情報管理の問題すなわち漏洩リスクが挙げられる。個人情報は、法に基づいた管理が求められており、臨床検査施設をはじめとした医療関連サービス提供施設でも委託を受けて実施した医療情報に含まれる個人情報の厳重な管理が求められる。
【００７４】
地域医療連携に象徴されるように、医療サービス及び医療関連サービスの提供は、現在のような一医療施設内において全ての医療サービス、医療関連サービスを完結させる一施設完結型から、今後は複数の医療施設、複数の医療関連サービス施設を利用して補う形で分担しあう、分散型が増加することが考えられる。したがって、一人の患者が複数の医療施設を利用するケースは今後さらに増加し、個人情報の管理についてもその重要性はさらに増していくと考えられる。
【００７５】
医療サービスの提供、医療関連サービスの提供及び医療情報の共有に際しては、主に個々の医療施設がそれぞれ個別に同意を取得する作業を行うが、取得する同意の種類も、当該医療施設が属する医療圏における地域医療連携への参加への同意、複数の医療施設におけるデータ共有への同意、個人情報が切り離された形のデータの二次活用（コホート研究など）への同意、と様々である。さらに、同意内容は、医療情報に含まれるカルテ情報、投薬履歴、臨床検査結果の各項目についても、特定の項目のみ共有することに同意する場合もあるなど一律の内容ではないため、同意者情報は増加するだけでなくその内容は今後さらに複雑化していくことが考えられる。
【００７６】
医療圏を統括する医師会、医療施設、医療関連サービス提供者は、それぞれが所有及び管理できる情報に制約がある。医療施設では自施設の患者に関する情報しか把握することができず、医療圏を統括する医師会では誰が同意者であるかという情報しか保有していいない。医療関連サービス提供事業者においても、例えば臨床検査会社では、他施設の臨床検査結果については把握することができないし、委託を受けて行った臨床検査については患者の氏名などの患者識別情報と臨床検査結果については把握しているものの、どの患者が医療情報の共有に同意をした患者であるのかを知ることができない。
【００７７】
次に、電子化された医療情報のフォーマットの違いが存在する。医療施設側では、マスターと呼ばれる基礎情報となるデータについて、診療報酬請求用や電子カルテ用といったようにそれぞれ独自にコードを設定している。一方で、医療関連サービス提供施設側でも
施設ごとに、名称やコードを振り分けており、例えば臨床検査施設では臨床検査項目名称やコード、報告形式がそれぞれ施設ごとに異なる。
【００７８】
これに加えて、各医療施設で採用されているシステムの違いや個々の要望に応じて電子カルテが仕様変更されて設計されているなど、対応可能な形式が制限される場合がある。医療関連サービス提供施設と医療施設とが一対一の関係である場合にデータをフォーマット変換することは対応可能でも、複数の医療施設と複数の医療関連サービス施設とが医療情報を共有して利用する場合には、フォーマットを統一することは容易ではない。
【００７９】
このようなフォーマットの違いについては、厚生労働省の主導による医療用語やコード標準化の動きはあるものの、全国には１０万を超える数の医療施設が存在し、膨大な種類のフォーマットに対応するように一対一の関係で関連付けをしていく作業は困難である。また、１つのコードを変更した場合には、当該コードのみならずシステム全体を見直す必要が生じることが多くあるなど、システムの管理・運営の観点から見ると、その実現には膨大な労力と費用を必要とするために容易には進まず、現在でも完全に統一されるには至っていない。
【００８０】
したがって、中長期的な視点で安定的でかつ効率のよい医療供給体制を確立するためには、マスター管理についての標準化作業を進めるとともに、既存の医療施設において利用されているシステムをそのまま使用できるシステムを迅速に構築することが、患者にとってはもちろん医療施設、医療関連サービス提供施設にとっても有用である。それにより患者にとっては利便性が向上するのでより多くの良質な医療サービスを享受できるようになり、医療施設、医療関連サービス提供施設にとっては医療技術や機器の進歩による医療の高度化・複雑化に対応できる高い専門性に対応することができる、というメリットがある。
【００８１】
上記の実施形態により、複数の医療関連サービス提供施設が送信したデータを複数の医療施設などで共有することが容易になる。このような統合システムに医療施設や医療関連サービス提供施設が参加することが容易となれば、さらに多くの医療施設や医療関連サービス提供施設が連携したシステムを構築しやすくなる。
【００８２】
また、上記の実施形態によって、医療施設を跨いで統合された患者情報を、該当患者個人が一括して参照するといった利用も可能となるため、患者の利便性向上につながる。つまり、複数の医療施設がそれぞれ独自に保有している患者情報を統合・管理し、個人認証に基づく医療情報の提供が可能となる。
【００８３】
さらに、患者にとってはもちろん、医療施設や医療関連サービス提供施設にとっても有用である。すなわち、医療施設や医療関連サービス提供施設にとっては、より効率よく医療情報を共有することで、医療技術や機器の進歩による医療の高度化・複雑化に対応できる高い専門性に対応することができる。結果として、効率よく良質な医療サービスを享受することができるようになる。
【００８４】
そして、上記の実施形態により、遠隔地や離島などの地域においては、複数の医療施設が連携して医療情報を共有することが可能となり、遠隔地医療サービスの提供を促進することも期待できる。
【００８５】
以上が本実施形態に関する説明であるが、上記の情報提供システムなどの構成や処理は、上記の実施形態に限定されるものではなく、本発明の技術的思想と同一性を失わない範囲内において種々の変更が可能である。例えば、上記の説明では、病院などの医療施設から送信された患者情報を地域医療連携サーバーが蓄積する構成としているが、地域医療連
携サーバーの代わりに情報処理システムが患者情報を受信してＤＢなどに蓄積する構成としてもよい。これにより、情報処理システムが上記の同意者情報の選別処理や変換処理などのみならず患者の個人情報や医療情報の保守や管理も一括して担うことができる。さらに、地域医療連携サーバーの代わりあるいはこれに加えてコホート研究用のサーバーを設け、上記の構成及び処理によって、コホート研究においても同意者情報を共有することもできる。
【００８６】
また、上記の説明では、臨床検査センターからの臨床検査結果を共有対象として説明したが、共有対象とする医療情報はこれに限られない。例えば、医療情報は、カルテ情報、レセプト情報、診療情報、医学情報、予防情報、健康情報、福祉情報のいずれかを含む構成としてもよい。さらに、医療情報がカルテ情報である場合、医療情報は、臨床検査結果、医師の所見、治療の経過や結果、看護記録、処方箋、通院履歴のいずれかを含む構成としてもよい。そして、医療関連サービスが、臨床検査受託、調剤薬局業務、医療機器の販売・保守点検など、医療法施行規則に挙げられているものに該当する場合に、当該医療関連サービス提供施設から送信される情報を共有対象としてもよい。これにより、上記の実施形態の構成を、種々の医療サービスや医療関連サービスにおける医療情報の共有に対応させることができる。例えばカルテ情報、診療情報、医学情報、予防情報、健康情報、臨床検査結果、医師の所見、治療の経過や結果などを組み合わせるアルゴリズムを設計することで、将来の疾病について予測することが可能なシステムを構築することもできる。
【００８７】
また、上記の説明では、臨床検査結果を複数の医療施設で共有する場合を例として、地域医療圏における地域医療連携を効果的に運営するためのシステムを取り上げたが、さらに以下のような実施形態における利用が可能である。なお、以下の説明において、上記の実施形態と同じ構成については同じ符号を用いて説明する。
【００８８】
例えば、別の実施形態としては、患者が異なる医療圏内の医療施設を利用した場合に、医療圏を跨いで医療情報を共有するケースを想定する。移動手段の発達した現代社会においては、居住地のある医療圏のみならず、他の医療圏内の医療施設を利用する可能性が十分に考えられる。この場合、それぞれ異なる医療圏にある複数の医療施設間で医療情報を共有することで効率的に医療サービス及び医療関連サービスが提供できることは、患者の医療施設へのフリーアクセスの観点からも好ましい。例えば、自宅付近の医療圏と勤務地の医療圏とが異なる医療圏である場合など、上記の実施形態の構成を利用することで、異なる地域医療圏どうし、つまり、医師会などが運営している各地域医療圏内の地域医療連携サーバーどうしが上記の実施形態の情報提供システムを介して医療情報を共有することができる。
【００８９】
その場合には、例えば、これら地域医療連携サーバーに接続可能な広域連携用としてサーバーを設け、この広域連携用サーバーが各地域医療連携サーバーと情報提供システムとの中継を行う構成としてもよい。もちろん、情報提供システムがこの中継を担う構成としてもよい。例えば、地域医療連携サーバー３００、４００が情報提供システム１０に医療情報を介して広域連携用サーバーに医療情報を送信し、地域医療連携サーバー３００、４００間で医療情報を共有する場合などが想定される。
【００９０】
図１２、１３に、本実施形態における情報処理システム１０が実行する処理のフローチャートを示す。本実施形態では、臨床検査センターＡ５００が情報提供システム１０に送信した臨床検査結果が地域医療連携サーバーで共有され、更に広域医療連携サーバーで共有される場合を想定する。ここで、検査センターＡ用検査結果情報ＤＢには、地域医療連携サーバーからも臨床検査結果が送信されるものとする。また、臨床検査結果には、地域医療連携サーバーコード、地域医療連携ＩＤ及び広域ＩＤも含まれる。
【００９１】
図１４は、本実施形態における情報提供システム１０のハードウェア構成を示す概略構成図である。図２に示す構成要素と同じものについては同じ符号を付し、説明を省略する。図１４に示すように、医療関連サービス情報処理サーバー９００は、地域医療連携サーバー３００がアクセス可能な地域医療連携サーバー３００用臨床検査結果情報ＤＢ９００ｈと地域医療連携サーバー４００がアクセス可能な地域医療連携サーバー４００用臨床検査結果情報ＤＢ９００ｉを備える。
【００９２】
まず、図１２に示すＳ７０１では、地域医療連携サーバー３００からの臨床検査結果データが地域医療連携サーバー３００用臨床検査結果情報ＤＢ９００ｈにアップロードされる。地域医療連携サーバー３００が、当該臨床検査結果データのアップロードが完了すると、処理はＳ７０２に進む。Ｓ７０２では、地域医療連携サーバー３００用臨床検査結果情報ＤＢ９００ｈにアップロードされた臨床検査結果から地域医療連携サーバーコードが抽出される。次いで、処理はＳ７０３に進む。
【００９３】
Ｓ７０３では、地域医療連携サーバー３００用臨床検査結果情報ＤＢ９００ｈから抽出された地域医療連携サーバーコードに基づく同意者情報ＤＢ８００ｅへの問合せ処理のため、地域医療連携サーバーコードが同意者情報処理サーバー８００に送信される。Ｓ７０４では、同意者情報処理サーバー８００が、受信した地域医療連携サーバーコードを同意者情報ＤＢに格納されている同意者情報と照会する。これにより、同意者情報処理サーバー８００は、地域医療連携サーバーコードに紐付けられている広域ＩＤが存在するか否かを確認する。
【００９４】
そして、同意者情報処理サーバー８００は、該当する広域ＩＤが存在する場合（Ｓ７０４：Ｙｅｓ）、Ｓ７０５において、その広域ＩＤに紐付けられている地域医療連携サーバーコード、地域医療連携ＩＤ、医療施設コード、医療施設患者ＩＤ、同意臨床検査項目を抽出して各地域医療連携サーバー用臨床検査結果情報ＤＢに送信する。一方、同意者情報処理サーバー８００は、該当する広域ＩＤが存在しない場合（Ｓ７０４：Ｎｏ）、Ｓ７０６において、同意者情報ＤＢ８００ｅには該当する広域ＩＤが存在しない旨を地域医療連携サーバー３００用臨床検査結果情報ＤＢ９００ｈに通知する。Ｓ７０５又はＳ７０６の処理が完了すると、図１２に示すフローチャートの処理は終了する。
【００９５】
次に、図１３に、地域医療連携サーバー３００用臨床検査結果情報ＤＢ９００ｈにおける、同意者及び非同意者の選別処理に関するフローチャートを示す。本実施形態では、地域医療連携サーバー３００用臨床検査結果情報ＤＢ９００ｈが、同意者情報処理サーバー８００から上記の同意者情報の抽出結果を受信した、すなわちＳ７０５においてデータを取得したかあるいはＳ７０６において広域ＩＤが存在しない旨の通知を受信したときに、本フローチャートが開始される。
【００９６】
本フローチャートの開始後、Ｓ８０１では、地域医療連携サーバー３００用臨床検査結果情報ＤＢ９００ｈは、同意者情報処理サーバー８００から受信した同意者情報について、Ｓ７０３において同意者情報処理サーバー８００に送信した地域医療連携サーバーコードに紐付けられている広域ＩＤが存在するか否かを判定する。当該広域ＩＤが存在する場合（Ｓ８０１：Ｙｅｓ）は、地域医療連携サーバー３００用臨床検査結果情報ＤＢ９００ｈは、処理をＳ８０２に進める。Ｓ８０２では、地域医療連携サーバー３００用臨床検査結果情報ＤＢ９００ｈは、地域医療連携サーバー３００用臨床検査結果情報ＤＢ９００ｈに格納されている臨床検査結果のうち、Ｓ８０１において存在すると判定された広域ＩＤを有する臨床検査結果を、同意者に該当する臨床検査結果であると決定し、当該臨床検査結果を保持する。ここで、地域医療連携サーバー３００用臨床検査結果情報ＤＢ９００ｈは、同意者に該当する臨床検査結果のうち、Ｓ７０５において同意者情報処理サーバー８００から受信した同意臨床検査項目に該当する情報を保持する。そして、地域医療連携サ
ーバー３００用臨床検査結果情報ＤＢ９００ｈは、臨床検査結果のうち同意臨床検査項目に該当しない情報を削除する。
【００９７】
さらに、地域医療連携サーバー３００用臨床検査結果情報ＤＢ９００ｈは、地域医療連携サーバー３００用臨床検査結果情報ＤＢ９００ｈに格納されている臨床検査結果のうち、Ｓ８０１において存在すると判定された広域ＩＤ以外の広域ＩＤを有する臨床検査結果を、非同意者に該当する臨床検査結果であると決定し、当該臨床検査結果を削除する。
【００９８】
一方、Ｓ８０１において、医療施設コードに紐付けられている広域ＩＤが存在しない場合（Ｓ８０１：Ｎｏ）は、地域医療連携サーバー３００用臨床検査結果情報ＤＢ９００ｈは本フローチャートを終了する。また、地域医療連携サーバー３００用臨床検査結果情報ＤＢ９００ｈは、Ｓ８０２の処理が完了した場合も本フローチャートを終了する。
【００９９】
なお、上記のほか、本実施形態の構成や処理については、上記の地域医療連携サーバー３００がある医療圏内に所属し、地域医療連携サーバー４００が別の医療圏に所属する点以外は図１〜図１１に示す実施形態の具体的な構成や処理と同じであるため、詳細な説明は省略する。
【０１００】
このような実施形態においては、遠隔医療における利用も可能となる。ここでの遠隔医療とは医師と患者が距離を隔てたところでインターネットなどの通信技術を用いて診療を行う行為をいう。遠隔医療は、さらに遠隔診断と遠隔治療とに分けられるが、本発明は主に遠隔診断において利用することができる。そして、遠隔医療によって、人口が希薄な地域のみならず、病院への来院が困難な患者に対して、重症化する前に医師などが患者を診断することができるようになるなどの効果が考えられる。
【０１０１】
さらに、別の実施形態としては、同一の医療施設内、例えば１病院内において医療情報を共有するために使用することができる。例えば、患者が、同一施設内であってもすべての医療情報を共有することには同意せず、特定項目の共有のみに同意する場合も想定される。このような場合に、上記の実施形態の構成を利用して医療情報を共有することができる。あるいは、異なる臨床検査機器が出力する結果を統合して共有する、例えば、大病院など医療施設内においてＸ線診断装置、Ｘ線ＣＴ装置、磁気共鳴イメージング装置、核医学装置、超音波診断装置など、様々なフォーマットで臨床検査結果を出力する臨床検査機器が複数台存在する場合に利用することができる。
【０１０２】
複数の臨床検査機器が医療施設内に構築されたネットワークに接続されている場合、臨床検査機器が異なれば採用されているシステムの形式が異なるため、臨床検査結果を同じ端末で取得することが困難な場合がある。上記の実施形態の構成を利用することで、異なる臨床検査機器から出力された医療情報である個々の臨床検査結果を、出力先であるレポートサーバーに対して、共通の出力形式で定義された臨床検査結果を提供し、医療施設内で結果を共有することが容易になる。また、複数の異なった形式で得られた医用画像どうしを比較しながら診断することによって、患者の状態を正確に把握でき、医療サービス提供による治療効率を格段に向上させることが可能となる。
【０１０３】
この実施形態の構成や処理は、上記の地域医療連携サーバー３００、４００を１病院内に所属する連携サーバーと考え、病院Ａ１００、病院Ｂ２００が当該病院内の各診療科と考え、情報提供システム１０及びネットワークＮが当該病院内に配置されている点以外は上記の実施形態の具体的な構成や処理と同じであるため、詳細な説明は省略する。
【０１０４】
上述したように、本実施形態において、地域医療連携とは、異なる複数の医療施設を利用する患者について提供される医療サービスや医療関連サービスに伴う医療情報を共有す
ることを指し、例えば、厚生労働省が指定する、一次から三次の各医療圏内の医療施設どうしと医療関連サービス提供施設どうしとが連携し合い、医療サービスや医療関連サービスを提供することなどが含まれる。複数の地域医療連携どうしで実施される場合、それらを広域医療連携と呼ぶ場合もある。対象同意者情報を取得することで、広域医療連携のような特定の地域医療連携どうしや日本国内の地域医療連携だけでなく保険者データベース、ナショナルデータベース、グローバルデータベースを利用した広範囲での医療情報の共有も可能となる。
【０１０５】
また、上述したように、同意者の同意の内容は、取得する同意の種類によって異なる。例えば、当該サービスを提供する医療施設が属する医療圏における地域医療連携への参加への同意、複数の医療施設における医療情報共有への同意、個人情報が切り離された形での医療情報の二次活用（コホート研究など）への同意が含まれる。そして、同意者の同意の内容には、更に臓器提供、延命措置の拒否リビングウィル、尊厳死に関する情報等を含めることができる。
【０１０６】
また、上述したように、本実施形態では、同意者情報は、医療施設ごとに割り振られた番号、各医療施設が患者に対して割り振った番号を含み、必要に応じて医療施設が属する一次から三次の医療圏の番号を付加することができる。ここで、医療施設ごとに割り振られた番号には医療施設情報が、各医療施設が患者に対して割り振った番号には患者識別情報がそれぞれ紐付く。これらの番号を使用することで、医療情報に容易に紐付けることが可能となる。
【０１０７】
また、広域ＩＤは、一例として、保険者番号を挙げたが、地域ごとに割り振られた番号、例えば、都道府県単位の番号や国番号、国民番号、国際番号等、またはそれらを組み合わせた使用することなども挙げられる。
【０１０８】
また、上述したように、医療関連サービス提供事業者においても、例えば臨床検査会社では、他施設の臨床検査結果については把握することができないし、委託を受けて行った臨床検査については患者の氏名などの患者識別情報と臨床検査結果については把握しているものの、どの患者が医療情報の共有に同意をした患者であるのかを知ることができない。医療サービス及び医療関連サービスの利用形態は、複数の地域にまたがった場合など様々なケースが想定されるが、今後多様化していくにつれて、増え続ける医療情報や個人情報を適切に保護しつつ活用できるしくみが今後益々重要となる。本願発明は、同意者情報ＤＢを、医療情報ＤＢとは別に設置して運用するため、上記に対する解決法として期待される。ここで、同意者情報ＤＢは医療情報ＤＢと同じサーバー内に設置されていても、別のサーバーに設置されていてもよいが、複数の地域医療圏どうしの情報共有を目的として実施する場合には、同意者情報ＤＢは医療情報ＤＢの別のサーバーに設置されていることが好ましい。特に、上記のような複数地域に跨って医療情報を共有する場合において効果が大きい。
【０１０９】
また、別の実施形態としては、同一人物が国境を跨いで移動して複数の国において医療サービス及び医療関連サービスの提供を受ける場合に、それぞれの施設間で医療情報を共有するために使用することができる。特に、近年医療ツーリズムと称して費用を抑制するために、自国以外、すなわち海外で医療サービス及び医療関連サービスの提供を受ける人の数が増加している。このような場合に、自国のサービス提供を受ける施設と海外のサービス提供を受ける施設との間で医療情報を共有するために使用することができる。また、欧州など隣国への移動が日常的となりつつある国では、本願発明の方法を使用することで医療情報を共有し医療サービス提供における効率を向上させることが可能となる。
【０１１０】
また、更に別の実施形態としては、上記の説明における医療サービスに、バイオバンク
における生物試料又はそれに関連する情報を使用して診断や治療を行う行為を含めてもよい。そして、医療関連サービスとして、バイオバンク及びバイオバンク情報システムの運用などを挙げることができる。ここでバイオバンクとは、一定の集団又は集団内の一部分に属する提供者に由来する生物試料又はそれに関連する情報をいい、バイオバンク情報システムとは、該バイオバンクの生物試料又はそれに関連する情報が、体系化されたシステムによって保管された、情報の集積をいう。また、医療関連サービス提供施設として、バイオバンク情報システムの管理や運用をする施設を挙げることができる。
【０１１１】
そして、複数の医療施設間で共有する医療情報に、上記のバイオバンク及びバイオバンク情報システムにおいて扱われる、生物試料に関連する情報を含めることも可能となる。生物試料に関連する情報としては、例えば、ゲノムやその変異情報、蛋白質、糖鎖、メタボローム解析により得られる情報、バイオイメージング情報、分離された微生物についての情報及びこれら複数の情報を統合して得られた情報などが挙げられる。また、バイオバンク及びバイオバンク情報システムにおいて扱われる個人情報における個人とは、医療情報提供者と、医師による診断、治療を受ける患者とを含む。
【０１１２】
これにより、例えば、特に該バイオバンク及び該バイオバンク情報システムの運用を提供する医療関連サービス提供施設が複数存在する場合に適用して実施すると効果が高い。同一医療情報提供者に由来する生物試料及び医療情報であるにも関わらず、それぞれの医療関連サービス提供施設で保有する医療情報が統一されず完全に一致しない場合があるためである。具体的には、異なる施設で同一の医療情報提供者から複数回生物試料として採取された場合には、上記のような問題が生じる可能性があるが、本願発明の方法によればそのような問題も解決することができる。
【０１１３】
医療情報提供者に対して医療サービス及び医療関連サービスを提供する場合には、他施設の医療情報を参照することで正確な医療サービス及び医療関連サービスの提供が可能になる。医療情報利用者がバイオバンク及びバイオバンク情報システムの運用サービスを利用し、正確な情報を入手できることでコホート研究や診断、治療関連の研究などの二次利用が促進される。なお、このような実施形態であっても、上述した実施形態と具体的構成や処理などは同様であり、当業者であればその具体的構成や処理などを更に適宜変更して実施することができるため、その詳細な説明は省略する。
【０１１４】
さらに、上記の各実施形態において、地域医療連携における地域とは、一定の合意のもとに集合体や組織を形成して複数の医療施設や医療関連サービス提供施設を含む区域（例えば医療圏など）を意味する。例えば、その設定された区域が市町村単位である場合、都道府県単位である場合、国単位である場合、特定の目的のために形成された団体や研究会単位である場合など様々であるが、特にその大きさや範囲などは限定されず、複数の医療施設や医療関連サービス提供施設を含んでいればよい。それぞれ医療情報の提供を所望する単位ごとに医療情報記憶部を有する情報記憶装置を設置することができ、その単位ごとに当該情報記憶装置を設置することで、本実施形態における医療情報を制御し共有することが可能となる。
【０１１５】
また、上記の説明において、患者に代えてあるいは患者に加えて医療情報提供者を対象として、上記の実施形態を実現することが可能である。したがって、少なくとも患者又は医療情報提供者を含む個人が、医療サービスあるいは医療関連サービスの提供の形態に応じて、共有される医療情報の利用用途を適宜選択することができる。
【符号の説明】
【０１１６】
１０    情報提供システム
１００、２００    病院
３００、４００    地域医療連携サーバー
５００、６００、７００    臨床検査センター
８００    同意者情報処理サーバー
８００ｅ    同意者情報ＤＢ
８００ｆ    マスターＤＢ
８００ｇ    変換ＤＢ
９００    医療関連サービス情報処理サーバー
９００ｅ、９００ｆ、９００ｇ    臨床検査センター用臨床検査結果情報ＤＢ
Ｎ    ネットワーク
【図１】
2020038715.tif 000003
【図２】
2020038715.tif 000004
【図３】
2020038715.tif 000005
【図４】
2020038715.tif 000006
【図５】
2020038715.tif 000007
【図６】
2020038715.tif 000008
【図７】
2020038715.tif 000009
【図８】
2020038715.tif 000010
【図９】
2020038715.tif 000011
【図１０】
2020038715.tif 000012
【図１１】
2020038715.tif 000013
【図１２】
2020038715.tif 000014
【図１３】
2020038715.tif 000015
【図１４】
2020038715.tif 000016
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
医療施設の端末がアクセス可能な情報記憶装置から抽出された、医療施設情報と患者の識別情報と医療関連サービスの実施内容を示す項目のうち前記患者が同意する項目および同意しない項目とが紐付けられた同意者情報を記憶する同意者情報記憶部と、
前記医療施設から前記医療関連サービスを依頼された医療関連サービス提供施設の端末がアクセス可能な医療情報記憶部であって、医療施設情報と患者の識別情報と前記依頼された医療関連サービスの情報とが紐付けられた医療情報を記憶する医療情報記憶部と、
前記同意者情報記憶部に記憶した同意者情報から、前記医療情報記憶部に記憶した医療施設情報を有する同意者情報を抽出する同意者情報抽出部と、
前記医療情報のうち、前記抽出した同意者情報の患者の識別情報を有する医療情報を特定する同意者情報特定部と、
前記医療情報のうち、前記特定した医療情報が有する患者の識別情報以外の識別情報を有する医療情報を削除する医療情報削除部と、
前記特定した医療情報から、前記抽出した同意者情報に含まれる前記患者が同意しない項目を削除する非同意項目削除部と、
前記非同意項目削除部によって前記特定した医療情報から前記患者が同意しない項目が削除された医療情報を前記情報記憶装置に送信する医療情報送信部と、
を備えることを特徴とする情報提供システム。
【請求項２】
前記情報提供システムは、前記特定した医療情報のフォーマットを変換するフォーマット変換部をさらに備え、
前記医療情報送信部は、前記フォーマットを変換した医療情報を送信する
ことを特徴とする請求項１に記載の情報提供システム。
【請求項３】
前記情報提供システムは、前記特定した医療情報のマスターを変換するマスター変換部をさらに備え、
前記医療情報送信部は、前記マスターを変換した医療情報を送信する
ことを特徴とする請求項１又は請求項２に記載の情報提供システム。
【請求項４】
前記医療情報は、カルテ情報、レセプト情報、医学情報、予防健康情報、福祉情報、バイオバンクの生物試料に関連する情報のいずれかを含むことを特徴とする請求項１から請求項３のいずれか１項に記載の情報提供システム。
【請求項５】
前記医療情報がカルテ情報であり、前記カルテ情報は、臨床検査結果、医師の所見、治療の経過や結果、看護記録、処方箋、通院履歴のいずれかを含むことを特徴とする請求項４に記載の情報提供システム。
【請求項６】
医療施設の端末がアクセス可能な情報記憶装置から抽出された、医療施設情報と患者の識別情報と医療関連サービスの実施内容を示す項目のうち前記患者が同意する項目および同意しない項目とが紐付けられた同意者情報を同意者情報記憶部に記憶し、
前記医療施設から前記医療関連サービスを依頼された医療関連サービス提供施設の端末がアクセス可能な医療情報記憶部に、医療施設情報と患者の識別情報と前記依頼された医療関連サービスの情報とが紐付けられた医療情報を記憶し、
前記同意者情報記憶部に記憶した同意者情報から、前記医療情報記憶部に記憶した医療施設情報を有する同意者情報を抽出し、
前記医療情報のうち、前記抽出した同意者情報に対応する患者の識別情報を有する医療情報を特定し、
前記医療情報のうち、前記特定した医療情報が有する患者の識別情報以外の識別情報を有する医療情報を削除し、
前記特定した医療情報から、前記抽出した同意者情報に含まれる前記患者が同意しない項目を削除し、
前記特定した医療情報から前記患者が同意しない項目が削除された医療情報を前記情報記憶装置に送信する
ことを特徴とする情報提供システムの制御方法。
【請求項７】
前記特定した医療情報のフォーマットを変換し、
前記フォーマットを変換した医療情報を送信する
ことを特徴とする請求項６に記載の情報提供システムの制御方法。
【請求項８】
前記特定した医療情報のマスターを変換し、
前記マスターを変換した医療情報を送信する
ことを特徴とする請求項６又は請求項７に記載の情報提供システムの制御方法。
【請求項９】
前記医療情報は、カルテ情報、レセプト情報、医学情報、予防健康情報、福祉情報、バイオバンクの生物試料に関連する情報のいずれかを含むことを特徴とする請求項６から請求項８のいずれか１項に記載の情報提供システムの制御方法。
【請求項１０】
前記医療情報がカルテ情報であり、前記カルテ情報は、臨床検査結果、医師の所見、治療の経過や結果、看護記録、処方箋、通院履歴のいずれかを含むことを特徴とする請求項９に記載の情報提供システムの制御方法。
【請求項１１】
医療施設の端末がアクセス可能な情報記憶装置から抽出された、医療施設情報と少なくとも患者又は医療情報提供者を含む個人の識別情報と医療関連サービスの実施内容を示す項目のうち前記個人が同意する項目および同意しない項目とが紐付けられた同意者情報を記憶する同意者情報記憶部と、
前記医療施設から前記医療関連サービスを依頼された医療関連サービス提供施設の端末がアクセス可能な医療情報記憶部であって、医療施設情報と前記個人の識別情報と前記依頼された医療関連サービスの情報とが紐付けられた医療情報を記憶する医療情報記憶部と、
前記同意者情報記憶部に記憶した同意者情報から、前記医療情報記憶部に記憶した医療施設情報を有する同意者情報を抽出する同意者情報抽出部と、
前記医療情報のうち、前記抽出した同意者情報の前記個人の識別情報を有する医療情報
を特定する同意者情報特定部と、
前記医療情報のうち、前記特定した医療情報が有する個人の識別情報以外の識別情報を有する医療情報を削除する医療情報削除部と、
前記特定した医療情報から、前記抽出した同意者情報に含まれる前記個人が同意しない項目を削除する非同意項目削除部と、
前記非同意項目削除部によって前記特定した医療情報から前記個人が同意しない項目が削除された医療情報を前記情報記憶装置に送信する医療情報送信部と、
を備えることを特徴とする情報提供システム。
【請求項１２】
医療施設の端末がアクセス可能な情報記憶装置から抽出された、医療施設情報と少なくとも患者又は医療情報提供者を含む個人の識別情報と医療関連サービスの実施内容を示す項目のうち前記個人が同意する項目および同意しない項目とが紐付けられた同意者情報を同意者情報記憶部に記憶し、
前記医療施設から前記医療関連サービスを依頼された医療関連サービス提供施設の端末がアクセス可能な医療情報記憶部に、医療施設情報と前記個人の識別情報と前記依頼された医療関連サービスの情報とが紐付けられた医療情報を記憶し、
前記同意者情報記憶部に記憶した同意者情報から、前記医療情報記憶部に記憶した医療施設情報を有する同意者情報を抽出し、
前記医療情報のうち、前記抽出した同意者情報に対応する前記個人の識別情報を有する医療情報を特定し、
前記医療情報のうち、前記特定した医療情報が有する個人の識別情報以外の識別情報を有する医療情報を削除し、
前記特定した医療情報から、前記抽出した同意者情報に含まれる前記個人が同意しない項目を削除し、
前記特定した医療情報から前記個人が同意しない項目が削除された医療情報を前記情報記憶装置に送信する
ことを特徴とする情報提供システムの制御方法。